【手続補正書】
【提出日】平成28年10月17日(2016.10.17)
【手続補正１】
【補正対象書類名】明細書
【補正対象項目名】発明の名称
【補正方法】変更
【補正の内容】
【発明の名称】画像処理装置、その制御方法、および制御プログラム
【手続補正２】
【補正対象書類名】明細書
【補正対象項目名】０００１
【補正方法】変更
【補正の内容】
【０００１】
本発明は、画像処理装置、その制御方法、および制御プログラムに関し、特に、デジタル一眼レフカメラ、デジタルスチルカメラ、又はデジタルビデオカメラなどの画像処理装置に関する。
【手続補正３】
【補正対象書類名】明細書
【補正対象項目名】００１５
【補正方法】変更
【補正の内容】
【００１５】
従って、本発明の目的は、撮影の際にライトフィールドを取得する際、ユーザが被写体を精度よく認識することのできる画像処理装置、その制御方法、および制御プログラムを提供することにある。
【手続補正４】
【補正対象書類名】明細書
【補正対象項目名】００１６
【補正方法】変更
【補正の内容】
【００１６】
上記の目的を達成するため、本発明による画像処理装置は、複数の撮像レンズを介してそれぞれ光学像が結像される複数の撮像素子から得られる画像であって、当該複数の撮像レンズによって前記複数の撮像素子に互いに焦点距離を異ならせて結像された複数の光学像に応じた複数の画像を処理する画像処理装置であって、前記複数の画像の各々において特定の被写体を検出する検出手段と、前記検出手段によって前記特定の被写体が検出されると、前記特定の被写体が検出された画像のうち前記特定の被写体が最も大きく写る画像を表示部に表示する表示制御手段と、を有することを特徴とする。
【手続補正５】
【補正対象書類名】明細書
【補正対象項目名】００１７
【補正方法】変更
【補正の内容】
【００１７】
本発明による制御方法は、複数の撮像レンズを介してそれぞれ光学像が結像される複数の撮像素子から得られる画像であって、当該複数の撮像レンズによって前記複数の撮像素子に互いに焦点距離を異ならせて結像された複数の光学像に応じた複数の画像を処理する画像処理装置の制御方法であって、前記複数の画像の各々において特定の被写体を検出する検出ステップと、前記検出ステップで前記特定の被写体が検出されると、前記特定の被写体が検出された画像のうち前記特定の被写体が最も大きく写る画像を表示部に表示する表示制御ステップと、を有することを特徴とする。
【手続補正６】
【補正対象書類名】明細書
【補正対象項目名】００１８
【補正方法】変更
【補正の内容】
【００１８】
本発明による制御プログラムは、複数の撮像レンズを介してそれぞれ光学像が結像される複数の撮像素子から得られる画像であって、当該複数の撮像レンズによって前記複数の撮像素子に互いに焦点距離を異ならせて結像された複数の光学像に応じた複数の画像を処理する画像処理装置で用いられる制御プログラムであって、前記画像処理装置が備えるコンピュータに、前記複数の画像の各々において特定の被写体を検出する検出ステップと、前記検出ステップで前記特定の被写体が検出されると、前記特定の被写体が検出された画像のうち前記特定の被写体が最も大きく写る画像を表示部に表示する表示制御ステップと、を実行させることを特徴とする。
【手続補正７】
【補正対象書類名】明細書
【補正対象項目名】００２０
【補正方法】変更
【補正の内容】
【００２０】
【図１】本発明の第１の実施形態による画像処理装置の一例である撮像装置についてその外観を説明するための図であり、（ａ）は外観を示す斜視図、（ｂ）は撮影レンズ部を正面から示す図である。
【図２】図１に示すカメラを説明するためのブロック図であり、（ａ）はその構成を示すブロック図、（ｂ）は（ａ）に示す画像処理ＬＳＩの構成を示すブロック図である。
【図３】図２に示すカメラにおける表示処理を説明するためのフローチャートである。
【図４】本発明の第２の実施形態に係るカメラにおける表示処理を説明するためのフローチャートである。
【手続補正８】
【補正対象書類名】明細書
【補正対象項目名】００２１
【補正方法】変更
【補正の内容】
【００２１】
以下、本発明の実施の形態による画像処理装置の一例について図面を参照して説明する。
【手続補正９】
【補正対象書類名】明細書
【補正対象項目名】００２２
【補正方法】変更
【補正の内容】
【００２２】
［第１の実施形態］
図１は、本発明の第１の実施形態による画像処理装置の一例である撮像装置についてその外観を説明するための図である。そして、図１（ａ）は外観を示す斜視図であり、図１（ｂ）は撮影レンズ部を正面から示す図である。
【手続補正１０】
【補正対象書類名】明細書
【補正対象項目名】００６０
【補正方法】変更
【補正の内容】
【００６０】
［第２の実施形態］
続いて、本発明の第２の実施形態に係るカメラの一例について説明する。なお、第２の実施形態によるカメラの構成は、図１および図２に示すカメラと同様である。
【手続補正１１】
【補正対象書類名】明細書
【補正対象項目名】００７１
【補正方法】変更
【補正の内容】
【００７１】
例えば、上記の実施の形態の機能を制御方法として、この制御方法を画像処理装置に実行させるようにすればよい。また、上述の実施の形態の機能を有するプログラムを制御プログラムとして、当該制御プログラムを画像処理装置が備えるコンピュータに実行させるようにしてもよい。なお、制御プログラムは、例えば、コンピュータに読み取り可能な記録媒体に記録される。
【手続補正１２】
【補正対象書類名】明細書
【補正対象項目名】００７２
【補正方法】削除
【補正の内容】
【手続補正１３】
【補正対象書類名】特許請求の範囲
【補正対象項目名】全文
【補正方法】変更
【補正の内容】
【特許請求の範囲】
【請求項１】
複数の撮像レンズを介してそれぞれ光学像が結像される複数の撮像素子から得られる画像であって、当該複数の撮像レンズによって前記複数の撮像素子に互いに焦点距離を異ならせて結像された複数の光学像に応じた複数の画像を処理する画像処理装置であって、
前記複数の画像の各々において特定の被写体を検出する検出手段と、
前記検出手段によって前記特定の被写体が検出されると、前記特定の被写体が検出された画像のうち前記特定の被写体が最も大きく写る画像を表示部に表示する表示制御手段と、
を有することを特徴とする画像処理装置。
【請求項２】
前記複数の撮像レンズと、
前記複数の撮像素子と、
を有することを特徴とする請求項１に記載の画像処理装置。
【請求項３】
前記検出手段は、前記撮像素子から得られる画像のうち最も焦点距離の短い最広角で得られた画像において特定の被写体を検出しており、
前記表示制御手段は、前記最広角で得られた画像において前記特定の被写体が検出されると、前記撮像素子から得られる画像のうち最も焦点距離が長い最望遠で得られた画像を表示部に表示することを特徴とする請求項２に記載の画像処理装置。
【請求項４】
前記最広角で得られた画像において前記特定の被写体が検出されないと、前記表示制御手段は、前記最広角で得られた画像を前記表示部に表示することを特徴とする請求項３に記載の画像処理装置。
【請求項５】
前記検出手段によって前記画像において前記特定の被写体が検出された状態で当該画像に未だ前記特定の被写体が存在するか否かを判定する判定手段を有し、
前記判定手段によって前記画像に前記特定の被写体が存在しないと判定された場合に、前記画像が最広角で得られた画像であると、前記表示制御手段は前記最広角の画像を前記表示部に表示することを特徴とする請求項２に記載の画像処理装置。
【請求項６】
前記判定手段によって前記画像に前記特定の被写体が存在する判定された場合に、前記表示制御手段は、前記特定の被写体を拡大した画像を前記表示部に表示することを特徴とする請求項５に記載の画像処理装置。
【請求項７】
複数の撮像レンズを介してそれぞれ光学像が結像される複数の撮像素子から得られる画像であって、当該複数の撮像レンズによって前記複数の撮像素子に互いに焦点距離を異ならせて結像された複数の光学像に応じた複数の画像を処理する画像処理装置の制御方法であって、
前記複数の画像の各々において特定の被写体を検出する検出ステップと、
前記検出ステップで前記特定の被写体が検出されると、前記特定の被写体が検出された画像のうち前記特定の被写体が最も大きく写る画像を表示部に表示する表示制御ステップと、
を有することを特徴とする制御方法。
【請求項８】
複数の撮像レンズを介してそれぞれ光学像が結像される複数の撮像素子から得られる画像であって、当該複数の撮像レンズによって前記複数の撮像素子に互いに焦点距離を異ならせて結像された複数の光学像に応じた複数の画像を処理する画像処理装置で用いられる制御プログラムであって、
前記画像処理装置が備えるコンピュータに、
前記複数の画像の各々において特定の被写体を検出する検出ステップと、
前記検出ステップで前記特定の被写体が検出されると、前記特定の被写体が検出された画像のうち前記特定の被写体が最も大きく写る画像を表示部に表示する表示制御ステップと、
を実行させることを特徴とする制御プログラム。